【事件の表示】
　特願２００６−２４７２３４「電子機器」拒絶査定不服審判事件〔平成２０年　３月２７日出願公開、特開２００８−　７２２３９〕について、次のとおり審決する。
【結　論】
　本件審判の請求は、成り立たない。
【理　由】
第１　手続の経緯
　本願は、平成１８年９月１２日の出願であって、平成２１年９月３日付けで手続補正され、平成２３年５月２日付けで拒絶理由が通知され、同年７月４日付けで手続補正され、同年９月２７日付けで拒絶理由が通知され、同年１１月２２日付けで手続補正されたが、平成２４年６月１３日付けで拒絶査定がなされ、これに対し、同年９月１０日に拒絶査定不服の審判が請求されたものである。
　
第２　本願発明
　特許請求の範囲の請求項１に係る発明（以下、「本願発明」という。）は、平成２３年１１月２２日付けで手続補正された特許請求の範囲、明細書及び図面の記載からみて、その特許請求の範囲の請求項１に記載された以下のとおりのものと認める。
　
　「上面、第１の筐体が載置される載置面と前記上面とに略平行な平面からなる底面、および手前方向の前記載置面に向けて音声を出力するための放音口を有し前記上面と前記底面とに延在する傾斜面を備える前記第１の筐体と、
　前記傾斜面の内側に前記載置面に対して斜めに配置され、音声を出力する出力手段と
　を備え、
　前記第１の筐体は、前記傾斜面付近かつ奥側に位置する脚を前記底面上に備える
　電子機器。」
　
第３　引用発明
Ａ　原審の拒絶理由に引用された特開２００３−１４３６７５号公報（以下、「引用例１」という。）には、図面とともに以下の事項が記載されている。
　
イ．「【０００１】
【発明の属する技術分野】本発明は、スピーカーが内蔵されるコンピュータに係るもので、詳しくは、スピーカーを下方側に装着して机へ向けて音を放出することで、防塵、防水及びハウリング効果を向上し得るスピーカー内蔵型コンピュータに関するものである。」（３頁３欄）
　
ロ．「【００２９】
【発明の実施の形態】以下、本発明の実施の形態に対し、図面を用いて説明する。本発明に係るスピーカー内蔵型コンピュータは、各種情報を入力するための複数の各入力キー２が配置されたキーボード４を有する本体６と、本体６に開閉可能にヒンジ１２により結合され、各種情報がディスプレーされるＬＣＤ８が装着された蓋体１０と、本体６の入力キーから使用者側のスペースの一方側に下向きに装着されてコンピュータから発生する各種音を外部に放出するスピーカー１６とを備えている。
【００３０】又、上記本体６は、デッキケース１８と下部ケース２０とが夫々組立られて内部に所定空間が形成されている。キーボード４はデッキケース１８に装着されている。本体６の内部には各種の情報を処理するための主ボード（未図示）が装着されて、音を外部に放出させるスピーカー１６が下向きに装着されている。
【００３１】本発明に係るスピーカー内蔵型コンピュータの第１実施形態においては、図１及び図３に示したように、ノートブックコンピュータの下部ケース２０の内側底面と所定間隔を置いてスピーカー１６の発音部２２が下向きに下部ケース２０に装着されている。したがって、本実施形態は、スピーカー１６が発生する音が下部ケース２０を通って机等のコンピュータを置いた部材（机で代表させる）２４に向かって放出されてから、使用者に伝達されるように構成されている。
【００３２】下部ケース２０の底面のスピーカ設置部には、スピーカー１６から発生する音を机２４に放出するための複数の音放出孔２６が所定間隔を置いて複数穿孔されている。音放出孔２６を形成させた箇所の両側に固定リブ３２を形成させ、それらの固定リブ３２にはその先端からボルト締結孔３０が形成されている。スピーカー１６の発音部２２が音放出孔２６に向かうように固定リブ３２の上にスピーカー１６を載せ、固定リブ３２にボルト３８をねじ込んでスピーカーを固定している。
【００３３】下部ケース２０の下面には、音放出孔２６の下面とノートブックコンピュータが載置される机２４間に所定間隔を維持するように所定高さを有する足３４が形成されている。即ち、足３４により、コンピュータが机の面に支持されると共に机２４と下部ケース２０間に所定間隔を維持させる。それにより、音放出孔２６から放出される音を外部に伝達する空間が確保される。
【００３４】ここで机２４とは、テーブル及びデスクなどのようなノートブックコンピュータを使用する際に置かれる全ての構造体を通称する。
【００３５】又、スピーカー１６の周辺にはリブ３２の位置に対応させてボルト孔３５が形成された締結用ブラケット３６を形成する。したがって、スピーカー１６は下部ケース２０の固定リブ３２にボルト３８により締結される。その際、スピーカー１６を上から覆うように音を反射させるスピーカーホルダー４０を設けることが望ましい。したがって、スピーカーはホルダー４０に内蔵された状態で取り付けられることになる。
【００３６】スピーカーホルダー４０は、図３に示したように、スピーカー１６の発音部２２の下面が開放されたハウジングであり、開放された下面からスピーカー１６の音が出るように、デッキケース１８と下部ケース２０の間で、スピーカー１６を覆うように外周側壁面を形成するように構成されている。このように、スピーカー１６を固定リブ３２にボルト３８で固定して、スピーカー１６をスピーカーホルダー４０で覆うときに、スピーカーホルダー４０の内部でスピーカー１６を所定角度傾斜させるようにすることができる。このようにスピーカーを傾斜させて取り付けると、スピーカー１６から所定角度で机に音が放出されるので響きの効果が発揮されて音質を向上させることができる。
【００３７】図３の例ではスピーカー１６は、使用者側がわずかに上を向くように傾斜させてあるが、横方向に所定角度傾斜するように配置することもでき、また、蓋体側を上げるように傾斜させてもよい。
【００３８】この時、スピーカー１６の発音部２２と下部ケース２０間の空間にはスピーカー１６から発生する音が脇に漏れないように遮蔽する遮断板４２が両側に装着されている。遮断板４２は、スピーカー１６を載せる板の両側に傾斜した側面を形成させた斜めの台の形状であり、本実施形態では、この台によってスピーカー１６を所定の角度で傾斜するようにしている。
【００３９】以下、上記のように構成される本発明に係るスピーカー内蔵型コンピュータの動作に対し説明する。即ち、コンピュータを使用する時、使用者が蓋１０を開いてキーボード４に所望の情報を入力すると、蓋１０に装着されたＬＣＤ８によって所望の情報がディスプレーされ、本体６の内部に装着されたスピーカー１６を通って音が外部に放出される。
【００４０】本実施形態では、スピーカー１６の発音部２２が下向きに下部ケース２０に装着されているので、スピーカー１６から発生する音は下に向かって発生し、下部ケース２０に形成された音放出孔２６を通して机に放出されて、外部に伝達される。
【００４１】この時、スピーカー１６が下部ケース２０と所定間隔を置いて装着されて、下部ケース２０が机２４と所定間隔を維持した状態に支持されるので、スピーカー１６から放出された音は外部の条件により妨害されることなく、效果的に使用者に伝達される。又、上記スピーカー１６が所定角度傾斜した状態に装着されて、スピーカー１６から机に向かって放出される音波が机により鳴り板の効果を発揮して音質を向上させる。」（４頁５欄〜５頁７欄）
　
　上記引用例１の記載及び図面ならびにこの分野における技術常識を考慮すると、上記ロ．の【００２９】における「本発明に係るスピーカー内蔵型コンピュータは、各種情報を入力するための複数の各入力キー２が配置されたキーボード４を有する本体６・・・を備えている。」との記載、同ロ．の【００３０】における「上記本体６は、デッキケース１８と下部ケース２０とが夫々組立られて内部に所定空間が形成されている。」との記載、及び図１によれば、スピーカー内蔵型コンピュータは、デッキケース（１８）、下部ケース（２０）を備える本体（６）を備えている。
　また、図１及び図３によれば、下部ケース（２０）の下面は、本体（６）が載置される机（２４）とデッキケース（１８）の上面とに略平行な平面であることが見て取れる。
　また、上記ロ．の【００３２】における「下部ケース２０の底面のスピーカ設置部には、スピーカー１６から発生する音を机２４に放出するための複数の音放出孔２６が所定間隔を置いて複数穿孔されている。」との記載、図１及び図３によれば、下部ケース（２０）の底面のスピーカ設置部は、机（２４）に向けて音を放出するための音放出孔（２６）を有している。
　また、上記ロ．の【００３１】における「図１及び図３に示したように、ノートブックコンピュータの下部ケース２０の内側底面と所定間隔を置いてスピーカー１６の発音部２２が下向きに下部ケース２０に装着されている。」との記載、同ロ．の【００３６】における「スピーカーホルダー４０の内部でスピーカー１６を所定角度傾斜させるようにすることができる。このようにスピーカーを傾斜させて取り付けると、スピーカー１６から所定角度で机に音が放出されるので響きの効果が発揮されて音質を向上させることができる。」との記載、及び図３によれば、スピーカー内蔵型コンピュータは、音を放出するスピーカー（１６）を備えている。また、前述のスピーカー（１６）は、前述のスピーカ設置部の内側に机（２４）に対して斜めに配置されていることが読み取れる。
　また、上記ロ．の【００３３】における「下部ケース２０の下面には、音放出孔２６の下面とノートブックコンピュータが載置される机２４間に所定間隔を維持するように所定高さを有する足３４が形成されている。」との記載、及び図２によれば、スピーカー内蔵型コンピュータの本体（６）は、足（３４）を前述の下部ケース（２０）の下面上に備えている。
　
　したがって、引用例１には以下の発明（以下、「引用発明１」という。）が記載されているものと認められる。
　
　「上面、本体（６）が載置される机（２４）と前記上面とに略平行な平面からなる下面、および前記机（２４）に向けて音を放出するための音放出孔（２６）を有する下部ケース（２０）の底面のスピーカ設置部を備える前記本体（６）と、
　前記スピーカ設置部の内側に前記机（２４）に対して斜めに配置され、音を放出するスピーカー（１６）と
　を備え、
　前記本体（６）は、足（３４）を前記下面上に備える
　スピーカー内蔵型コンピュータ。」
　
Ｂ　原審の拒絶理由に引用された特開平８−９８１１３号公報（以下、「引用例２」という。）には、図面とともに以下の事項が記載されている。
　
ハ．「【０００１】
【産業上の利用分野】本発明は、例えばテレビジョン受像機のフロントキャビネットなどに設けられる音響装置に関する。」（２頁１欄）
　
ニ．「【００１３】
【実施例】以下、本発明の実施例を図面に基づいて説明する。図４は本発明の一実施例である音響装置１を左右一対取り付けたテレビジョン受像機を載置台２上に載置した状態を示すものであって、そのテレビジョン受像機は、フロントキャビネット（キャビネット）３とリヤキャビネット４とを有し、フロントキャビネット３の前壁部３ａには、ブラウン管５と電源スイッチなどを有する操作部６とが設けられている。
【００１４】前記音響装置１について説明すると、図１〜図３に示すように、フロントキャビネット３の底壁部３ｂの左右両端部に、その底壁部３ｂをフロントキャビネット３内に向けて折曲することにより、スピーカー８とほぼ同径のスピーカー配置部９が形成され、該スピーカー配置部９に貫通孔１０が貫設され、そのスピーカー配置部９に対向してフロントキャビネット３の前壁部３ａに開口部１１が開設され、前記スピーカー配置部９の下面に平面視略コ字状の隔壁１２が一体に突設され、これによって、スピーカー配置部９の下方に、該スピーカー配置部９と前記隔壁１２と前記載置台２とで囲まれて前記貫通孔１０を前記開口部１１に連通させる連通空間１３が形成されている。
【００１５】上記構成によれば、スピーカー８から発せられた音声が連通空間１３を通って前方に放出され、その音声が左右側方及び後方にほとんど拡散せず、指向性がよくなるため、従来と同一出力で音圧を大幅に向上させることができ、省電力化を図ることができる。また、スピーカー８をフロントキャビネット３の前壁部３ａに配置していないので、そのフロントキャビネット３を従来に比べて小型化することができる。
【００１６】前記スピーカー配置部９は、水平状態でもよいが、図示するように、前方に向かって斜め上方に所定角度α傾斜させることが好ましい。これによって、前方に向かって指向性が一層よくなり、音声をより聞き取り易くできる。
【００１７】上記角度αは１０°〜２０°（この実施例では１６°）の範囲に設定される。１０°未満では指向性があまりよくならず、２０°を超える場合は、開口部１１の高さが大きくなって、それだけフロントキャビネット３が大型化する。
【００１８】前記貫通孔１０としては、スピーカー配置部９の中央部に大きく貫設した大径孔でもよいが、図示するように、そのスピーカー配置部９に所定間隔をおいて貫設した多数の小孔１０ａにより構成することがより好ましい。これによって、スピーカー配置部９の強度があまり低下せず、スピーカー配置部９上に配置したスピーカー８を確実に保持することができる。
【００１９】前記隔壁１２は、前壁部３ａとほぼ平行する後壁部１２ａと、該後壁部１２ａの両端から前方に向かって略ハ字状に広がる左右一対の側辺部１２ｂ、１２ｃとから形成されており、略ハ字状に広がる左右一対の側辺部１２ｂ、１２ｃによって音声が左右に所望の広がりをもって前方に発せられるから、テレビジョン受像機の前側で音声を鮮明に聞き取ることができると共に、テレビジョン受像機の左右側方及び後方に対しては音声があまり届かないから、周辺に騒音による悪影響をほとんど及ぼすことがなく、周辺環境を良好に維持することができる。なお、図３に示すように、底壁部３ｂの下面に突設した脚部１５が一方の側辺部１２ｂの一部を構成している。」（３頁３〜４欄）
　
　上記引用例２の記載及び図面ならびにこの分野における技術常識を考慮すると、上記ハ．、上記ニ．の【００１４】における「フロントキャビネット３の底壁部３ｂの左右両端部に、その底壁部３ｂをフロントキャビネット３内に向けて折曲することにより、スピーカー８とほぼ同径のスピーカー配置部９が形成され、該スピーカー配置部９に貫通孔１０が貫設され」との記載、及び図１によれば、テレビジョン受像機は、貫通孔（１０）を有するスピーカ配置部（９）を備えるフロントキャビネット（３）を備えている。ここで、上記ニ．の【００１６】における「前記スピーカー配置部９は、水平状態でもよいが、図示するように、前方に向かって斜め上方に所定角度α傾斜させることが好ましい。」との記載、及び図１によれば、前述のスピーカ配置部（９）は、前方に向かって斜め上方に傾斜した傾斜面ということができる。
　
　したがって、引用例２には以下の発明（以下、「引用発明２」という。）が記載されているものと認められる。
　
　「貫通孔（１０）を有する傾斜面を備えるフロントキャビネット（３）を備えるテレビジョン受像機。」
　
第４　対比
　本願発明と引用発明１を対比する。
ａ．引用発明１の「本体（６）」、「下面」、「音」、「放出」、「音放出孔（２６）」、「スピーカー（１６）」及び「足（３４）」は、本願発明の「第１の筐体」、「底面」、「音声」、「出力」、「放音口」、「出力手段」及び「脚」にそれぞれ相当する。
ｂ．引用発明１の「机（２４）」は、スピーカ内蔵型コンピュータを載置する面を有するから、「載置面」ということができる。
ｃ．引用発明１の「前記机（２４）に向けて音を放出するための音放出孔（２６）を有する下部ケース（２０）の底面」と、本願発明の「手前方向の前記載置面に向けて音声を出力するための放音口を有し前記上面と前記底面とに延在する傾斜面」とは、上記ａ．及びｂ．の対比を考慮すれば、いずれも、「前記載置面に向けて音声を出力するための放音口を有する面」という点で一致する。
ｄ．引用発明１の「スピーカ内蔵型コンピュータ」は、「電子機器」の一種である。
　
　したがって、本願発明と引用発明１は、以下の点で一致ないし相違する。
　
＜一致点＞
　「上面、第１の筐体が載置される載置面と前記上面とに略平行な平面からなる底面、および前記載置面に向けて音声を出力するための放音口を有する面を備える前記第１の筐体と、
　前記特定の部材の内側に前記載置面に対して斜めに配置され、音声を出力する出力手段と
　を備え、
　前記第１の筐体は、脚を前記底面上に備える
　電子機器。」
　
＜相違点１＞
　「前記載置面に向けて音声を出力する」に関し、
　本願発明は、「手前方向の」前記載置面に向けて音声を出力するのに対し、引用発明１は、前記机（載置面）に向けて音（音声）を放出（出力）するものの、当該「手前方向の」との特定がない点。
　
＜相違点２＞
　「放音口を有する面」に関し、
　本願発明は、「前記上面と前記底面とに延在する傾斜面」であるのに対し、引用発明１は、「下部ケース（２０）の底面」である点。
　
＜相違点３＞
　「脚」の位置に関し、
　本願発明は、「前記傾斜面付近かつ奥側に位置する」のに対し、引用発明１は、当該「前記傾斜面付近かつ奥側に位置する」との特定がない点。
　
第５　判断
　そこで、上記相違点１ないし３について検討する。
　引用発明１と引用発明２は、電子機器におけるスピーカーの音質向上という技術分野・課題において共通し、引用発明１に引用発明２を採用する特段の阻害要因は見あたらないから、「放音口を有する面」に関し、本願発明のように「傾斜面」とすることは当業者が容易になし得ることである。その際、本体（６）（第１の筐体）の上面と下面（底面）を備える構造を考慮すれば、「前記上面と前記底面とに延在する傾斜面」となること（相違点２）は自然である。そして、引用発明１は、「足（３４）（脚）」を備えるところ、「底面」と机（２４）（載置面）とが接近し、かつ、バランスの良い位置として「前記傾斜面付近かつ奥側に位置する」こと（相違点３）は適宜なし得ることである。さらに、引用発明１は、「前記机（載置面）に向けて音（音声）を放出（出力）する」ところ、音（音声）は、机（載置面）に向けられる以上、机（載置面）において反射して、「手前方向の」机（載置面）に向けられること（相違点１）は当然である。
　
　そして、本願発明の作用効果も、引用発明１及び２から当業者が容易に予測できる範囲のものである。
　
第６　むすび
　以上のとおり、本願発明は、引用発明１及び２に基いて当業者が容易に発明をすることができたものであるから、特許法第２９条第２項の規定により特許を受けることができない。
　
　よって、結論のとおり審決する。